Podtech/llm-jp-corpus-v4-ja_patent huggingface dataset:
(57)【要約】【課題】  トイレやトイレ付きユニットバスに保管されているトイレットペーパーが清掃時や入浴時に湿気たり濡れたりすることが無くなり、トイレ使用時でも楽にトイレットペーパーの交換が出来る位置に設置出来るようになる。また、上蓋を透明にすることにより在庫状況が確認でき、在庫切れの防止が容易に出来る。更に、ケースの分割、取り外しが出来ることにより  ケース自体の掃除が容易に出来る。トイレットペーパーストックケースを提供する。【解決手段】  トイレットペーパーが数個入る下蓋（１）と中蓋（２）とに１個づつのトイレットペーパーにカバー出来る透明な上蓋（３）を設ける、ケース全体をじか置きにも出来るが、手身近な空間が利用出来るように直接壁面に下蓋（１）を固定出来る構造を設ける、更に、壁面固定用プレート（４）に下蓋（１）が取り付けられるようにし、下蓋（１）に脱着可能な構造を設けたことを特徴とする。【選択図】    図１
2006218248.tif 000002
【特許請求の範囲】
【請求項１】
トイレットペーパーが数個入る下蓋（１）と中蓋（２）とに１個づつにカバー出来る透明な上蓋（３）を設け、直接壁面に下蓋（１）を固定出来る構造を設けた。
【請求項２】
更に、壁面固定用プレート（４）に下蓋（１）が取り付けられるようにし、下蓋（１）に脱着可能な構造を設けた。
トイレットペーパーストックケース。
【発明の詳細な説明】
【技術分野】
【０００１】  本発明は、トイレットペーパーを保管する時に湿気や水滴から隔離する空間が作れ、壁面に固定出来る構造を設けることにより、取り易い位置にトイレットペーパーストックケースが設置出来る，トイレットペーパー個々に上蓋を付ける事により、更に取り出しが容易になる。また、ケースの下蓋と中蓋が分割出来る事や下蓋と壁面固定用プレートとが分割出来る事により、ケース内の清掃が楽に出来る。
【背景技術】
【０００２】  従来、トイレペーパーの保管はトイレやユニットバス（トイレ付）に設置された棚か、棚が無い時には床に直接置かれていて、回りの湿気や水滴が直接掛かる、剥き出しの状況で置かれていた。また、棚に置かれている場合は手元に無く取り難い所に置かれていた。床に直接置かれている場合は水掃除がし辛かった。【０００３】  また、保管されたトイレットペーパーを湿気から隔離するために  ビニール袋に入れたり、既製のプラスチック容器に入れたりしていた。
【発明の開示】
【発明が解決しようとする課題】
【０００４】  これは次ぎのような欠点があった。
（イ）トイレペーパーの保管は棚か、棚が無い時には床に直接置かれており、剥き出し状態で、清掃時や入浴時の湿気や水滴で、トイレットペーパーが湿めったり固着したりして使いづらくなる不具合があった。
（ロ）トイレットペーパーが無くなった時に、保管されたトイレットペーパーが手元に無く、取り難い棚等に置かれて有り  トイレ使用時のペーパー交換がやり辛かった。
本発明は、これらの欠点を除くためになされたものである。
【課題を解決するための手段】
【０００５】  トイレットペーパーが数個入る下蓋（１）と中蓋（２）とに１個づつのトイレットペーパーにカバー出来る透明な上蓋（３）を設ける、ケース全体をじか置きにも出来るが、手身近な空間が利用出来るように直接壁面に下蓋（１）自体を固定出来る構造を設ける、更に、壁面固定用プレート（４）に下蓋（１）が取り付けられるようにし、下蓋（１）に脱着可能な構造を設けた。
本発明は、以上のような構成によりなるトイレットペーパーストックケースである。
【発明の効果】
【０００６】  本トイレットペーパーストックケースにトイレットペーパーを保管することにより、清掃時や入浴時にトイレットペーパーが湿気たり濡れたりすることが無くなる。また、取り出しが１個づつ出来るので取り出さない他のトイレットペーパーへの湿気等の悪さを防げる。
トイレ使用時に手の届く範囲へ設置することにより、トイレ使用時でも楽にトイレットペーパーの交換が出来るようになる。また、上蓋を透明にすることにより在庫状況が確認でき、在庫切れの防止が容易にできる。
本ケースを分割タイプにすることで  ケース自身の掃除が楽に出来る。
【発明を実施するための最良の形態】
【０００７】  以下、本発明の実施の形態について説明する。
トイレットペーパーが数個入る下蓋（１）と中蓋（２）とに１個づつのトイレットペーパーにカバー出来る透明な上蓋（３）を設ける、ケース全体をじか置きにも出来るが、手身近な空間が利用出来るように直接壁面に下蓋（１）を固定出来る構造を設ける、更に、壁面固定用プレート（４）に下蓋（１）が取り付けられるようにし、下蓋（１）に脱着可能な構造を設ける。
本発明は、以上のような構造で、清掃時や入浴時には上蓋（３）を閉めておくことによりストックしているトイレットペーパーへの湿気や水滴が防げる。また、手近な空間を利用しトイレットペーパーストックケースが設置出来る事によりトイレ使用時でのトイレットペーパー交換が容易に出来る。また、透明の上蓋にすることによりトイレットペーパーの在庫状況も容易に出来る。
分割、取り外しが出来ることにより  ケース自体の掃除が容易に出来る。
【図面の簡単な説明】
【０００８】
【図１】本発明での下蓋を直接壁面固定した場合の側面断面図である。
【図２】本発明での壁面固定プレートに固定した時の側面断面図である。
【図３】本発明でのケースの斜視図である。
【符号の説明】
【０００９】１  壁面取り付け可能な下蓋
２  中蓋
３  上蓋
４  壁面取り付けプレート
【図１】
2006218248.tif 000003
【図２】
2006218248.tif 000004
【図３】
2006218248.tif 000005
(57)【要約】【課題】ご飯等の食事の際用いる茶碗の形状は、茶碗底部が深いためご飯の盛り付ける量も多くなりカロリー摂取過多になりがちであった。【解決手段】茶碗の内側の八割となる位置まで底を上げ少量のご飯で満足するよう視覚刺激による摂取制限を促し、さらに表面上の中心に印をつけることで全体にご飯を盛り付ける方法と印外に盛り付ける方法の二通りの方法で摂取カロリーを二段階に調節でき、また印内におかずを盛り付けその周辺にごはんを盛り付けることで、ご飯の摂取量を減らしカロリーを抑制することができる。【選択図】図１
2006218243.tif 000002
【特許請求の範囲】
【請求項１】
茶碗を底上げし表面上に印を付けることにより盛り付けたご飯の摂取カロリーを二段階に調整することができることを特徴とする茶碗。
【請求項２】
前記茶碗は、底上げすることで通常盛り付けた量と同様の視覚的満足感を得ることができさらに底上げ表面上の印におかず等をのせることでさらなるご飯摂取量を抑制することを特徴とする請求項１記載の茶碗。
【請求項３】
前記茶碗は、底上げ表面全体にご飯を盛り付けた際のカロリーを約１００キロカロリーとし、表面印外に盛り付けた際は約５０キロカロリーとカロリー計算を容易にできることを特徴とする請求項１記載の茶碗。
【発明の詳細な説明】
【技術分野】
【０００１】  この発明は、ご飯等の食事に用いる茶碗の形状に関する。
【背景技術】
【０００２】  従来のご飯等に食事に用いる茶碗の形状は、図２に示すように、茶碗の本体１の底部分が深い形状である。
【発明の開示】
【発明が解決しようとする課題】
【０００３】  しかしながら、以上の技術によれば、茶碗底部が深く、ご飯の盛り付け量が多くなりそれに伴いご飯の摂取量が増えカロリー過多になることが多かった。
そこで、この発明は、茶碗底部を底上げし通常のご飯を食べる量と同様の視覚満足感を与えご飯摂取量を抑制しカロリー過多に陥るのを予防することを提供することを課題とする。
【課題を解決するための手段】
【０００４】  以上の課題を解決するために、第一発明は、茶碗底部を底上げし表面上に印を設けたことを特徴とする茶碗である。
また、第二発明は、表面印内におかず等を盛り付けることでご飯摂取量を抑制できる効果があることを特徴とする茶碗である。
また、第三発明は、表面印によりご飯を盛り付ける量を二段階に調整できることを特徴とする茶碗である。【０００５】  第一発明、または第二発明または第三発明によれば茶碗底部を底上げし表面上に印をつけることによりご飯摂取を抑制しカロリー調整が容易である。【０００６】  この発明の一実施形態を、図１に示す。
茶碗の本体１は、底部から八割の部分まで底上げし表面上に丸印を設けるものとする。【０００７】  「実施形態の効果」
この実施形態によれば、茶碗底上げ２の効果により食欲の視覚的満足感が得ることができる。
表面上の丸印３により全体にご飯を盛り付けた時と丸印外に盛り付けたときの二段階にカロリーを調整することができる。【０００８】  「他の実施形態」
図１の実施形態では、茶碗表面上丸印３内にご飯を盛り付けおかず等を丸印３外盛り付けてもカロリー調整には効果があるものとする。
【図面の簡単な説明】
【０００９】
【図１】この発明の一実施形態を示す斜視図である。
【図２】従来技術を示す斜視図である。
【符号の説明】
【００１０】１  茶碗本体      ２  底部      ３  表面丸印
【図１】
2006218243.tif 000003
【図２】
2006218243.tif 000004
(57)【要約】【課題】  陰茎の先につけるものは、その大小の変化に対応しきれなく、体の動きによって外れてしまう。又、腰につける方式のものは、日常生活の中で扱いずらい等の、不具合を解決すること。【解決手段】  一つ目は、一般品と外観がほぼ同じブリーフ１に、取り外し可能な小さな牽引具をつけることにより、ブリーフ１は通常通り管理でき、小物の牽引具のみを自分で管理すればよく扱いやすい。二つ目は、径の調整が可能なハーフリング２と、そこに牽引ゴム３を付けることにより、圧迫力と引く力が個人に合わせられるので最良の状態が作られ、確実に牽引することが出来る。【選択図】      図１
2006218249.tif 000002
【特許請求の範囲】
【請求項１】
一般品のブリーフと、外観がほとんど同じブリーフに、牽引部品をつけた包茎矯正具。
【請求項２】
径の調整が可能なリング状ゴムに、２本の引きゴムを付けたものを牽引具とする包茎矯正具。
【発明の詳細な説明】
【技術分野】
【０００１】  本発明は、主に仮性包茎の余剰包皮を、強制的に陰茎の根元付近に後退し、亀頭部分の露出状態を、保つための使いやすい包茎矯正具である。
【背景技術】
【０００２】    従来の包茎矯正具は、陰茎の先にリング状のものをつけるものや、腰又は陰嚢から牽引するものがあるが、腰からのもので特許文献１がある。
【特許文献１】
【特許３２９５８１５号広報】
【発明の開示】
【発明が解決しようとする課題】
【０００３】  従来の陰茎の先につけるものは硬い材料で付け心地が悪く、陰茎の大小の変化に対応し切れなくて、体の動きによって外れてしまう。  腰に付けるものは大きく、洗濯時等、余り他人に見られたくない形であって、取り扱いずらい欠点があり、これらの解決を課題とする。
【課題を解決するための手段】
【０００４】  この課題を解決するための請求項１の発明は、一般のブリーフと外観がほぼ同じ物に、牽引する小さな部品を取り付け、簡単にはずすことも出来るようした事です。  これにより、洗濯時はブリーフを通常通り扱い、牽引部品のみを自分で管理すればよいので、日常生活の中で扱いやすい。【０００５】  又、請求項２の発明は、２枚のゴムをリング状に糸で繋いで陰茎にセットしその繋ぎ目を牽引するものです。これにより繋ぎ部及び牽引部の調整が出来、自分に合わせられるので、最良の状態が作れ従来品でのはずれや違和感が無くなる。【００６】  本発明は、ブリーフ１とそこに牽引ゴム３を介して付けるハーフリング２によって構成される。ブリーフ１は一般品より前が広く開くようにし、ボタン４を付けて、ハーフリングが取り付け取り外し出来るようになっている。糸で結ばれた２個のハーフリングはゴム製で表面を滑らかにすることで、軽い力で密着し滑ってしまうことが無い。
【発明の効果】
【０００７】  本発明により、ブリーフは、日常生活の中で普通に扱うことが出来るので、小さなリングだけ自分で管理すればよいので、使いやすくなった。【０００８】  又、２個のハーフリングでリングを形成しているので、個人に合わせて直径を調整することにより、陰茎の径の変化に柔軟に対応でき、違和感がない。そして牽引は柔らかなゴムの使用と、個人に合わせたセット位置の調整で、引きすぎの心配が無く確実に牽引が行なわれる。
【発明を実施するための最良の形態】
【０００９】  図２はハーフリング部の使用状態を示します。２個のハーフリングにはいくつかの穴が明けられ、端の穴どうしを糸で結びます、個人差によって合わない場合切って別の穴を使うことも出来ます。  厚さ１ｍｍ程の半円のシリコンゴムで、表面を滑らかにし穴を明けて、接触面を少なくすることにより、陰茎の大きさに対して円周で１０ｍｍ大きいリング径で、ずれることが無く使用できるので、圧迫感がなく長時間の使用が可能です。  又、牽引力も極力小さい力になるよう、柔らかなシリコンゴムを使うと共に調整可能構造とします。【００１０】  ブリーフは、一般的ブリーフの前開き部を、陰嚢が出る状態に広くして、リング取付け用ボタンをつけた形にします。  前開き部は、リングを使用しないとき閉じて、外観が一般のブリーフと同じ状態が作れます。
【産業上の利用可能性】
【００１１】  本発明に係る、包茎矯正具は、工業的に量産することが可能である為、産業上の利用可能性を有する。
【図面の簡単な説明】
【００１２】
【図１】  本発明の斜視図である。
【図２】  本発明のハーフリング部の図である。
【符号の説明】
【００１３】    １    ブリーフ
２    ハーフリング
３    牽引ゴム
４    ボタン
【図１】
2006218249.tif 000003
【図２】
2006218249.tif 000004
(57)【要約】【課題】  従来のランニングマシンやエアロバイクなどの健康器具を用いた方法は本人の強い意志と努力が必要であり運動の継続性に難点があった。【解決手段】  本発明はこれらの課題を解決するために、健康端末器具（１）をインターネット（５）に接続し運動量データを、あらかじめプログラムを組み入れたサーバ（６）に電送する。例えば、健康端末器具（１）を使い１Ｋｍのランニングデータをサーバ（６）に電送することで、サーバ（６）のプログラム（７）はバーチャル的に１Ｋｍ進み、その状態を画面（２）に返す。これにより、利用者には画像を動かすというモーチベーションが生まれ、運動を楽しく継続することが可能になる。また、同様の仕組みを別の健康端末器具（８・９）から同時に行うことで、（１）と（８・９）の利用者はプログラム（７）により、対戦する・競争することができる。これにより、（１）と（８・９）の利用者のモーチベーションはより一層高まるシステムである。【選択図】  図１
2006218246.tif 000002
【特許請求の範囲】
【請求項１】
インターネットに接続し、サーバのプログラムと連動するように作られたランニングマシンやエアロバイクなどの健康端末器具から運動量等や各種生体情報等のデータをサーバに電送する。複数台からの運動量データをサーバに電送することにより、複数人数でゲーム感覚の競争・対戦、運動距離や運動時間データが比較できるなど、健康管理に対するモーチベーションが高まる健康管理システム。
【発明の詳細な説明】
【技術分野】
【０００１】  本発明は、健康端末器具をインターネットに接続し参加者が互いに競争、対戦するなど楽しく運動を継続できるように工夫した健康維持・増進・管理システムである。
【技術背景】
【０００２】  従来、健康維持・管理のための健康器具を使った運動は辛く厳しいものであり継続性に難点があった。
【０００３】  これには次のような欠点があった。
（イ）従来の健康器具は運動量に応じた消費カロリー値や心拍数、血圧値を表示するだけであった。
（ロ）（イ）のデータ結果は利用者個々に対応するだけであった。
（ハ）従来の健康器具は黙々と行わなければならない、いわゆる努力型のマシンであった。
（ニ）よって、継続性の点において問題であった。
本発明は、これからの欠点を除くためになされたものである。
【発明が解決しようとする課題】
【０００４】  国民の健康管理に関する意識は高いものの健康器具を使った従来のトレーニング形式ではモーチベーションが生まれず継続することは非常に厳しい。本発明は、健康器具による運動を楽しく継続するためのシステムである。
【課題を解決するための手段】
【０００５】  スポーツジム、フィットネスクラブ、ゲームセンターや家庭などにサーバのプログラムと連動するように作られた健康端末器具を設置しインターネットを介して接続する。サーバには健康端末器具から運動量のデータを電送することで稼動するゲーム性の高いプログラムソフトが組み込まれており、複数の健康端末器具から電送されるデータにより対戦、競争感覚で運動するシステムである。
【発明の効果】
【０００６】これには次のような効果がある
（イ）複数の健康端末器具を通して運動量データを電送することでエキサイティングに対戦、競争することができる。
（ロ）（イ）により、運動を楽しく継続することができ、また、蓄積された個人の生体データを分析することで健康管理に役立てることができる。
（ハ）サーバ内の健康プログラムソフトの種類を追加、更新することで常に新鮮さが保たれる。
本発明は、これらの効果をもたらすものである。
【発明を実施するための最良の形態】
【０００７】  ランニングマシンやエアロバイクなどの健康器具をインターネットに接続しサーバと接続する端末機とする。従来通り、トレーニングを行うが運動量データをサーバに送信することで、サーバ内のプログラムが作動し運動データに応じた結果をトレーニングマシンに接続される画面に返す。これにより、利用者は画像や数値データを動かすモーチベーションが生まれるほか、同時に複数台の端末をサーバに接続することにより競争・対戦など運動に対する、より高いモーチベーションが生まれる。
【実施例１】
【０００８】以下、本発明の実施例について説明する。
（イ）健康端末器具（１）の運動データをリアルタイムでインターネット上のサーバ（６）に接続する。
（ロ）サーバ（６）には電送される運動量に反応するプログラム（７：ゲームソフト、健康管理ソフトなど）が組み込まれている。
（ハ）運動量によって反応したデータをもとに、サーバ（６）は結果を画面（２）に電送する。
（ニ）（イ）〜（ハ）を繰り返すことで連続したデータが画面（２）に表示される。
（ホ）複数の健康端末器具（８・９）を同時刻に行うことで対戦や競争することができる。
本発明は以上のようなシステムである。
【産業上の利用可能性】
【００１０】  サーバに接続する健康端末器具は国内のどの地域に設置されていてもよく、全国的な大会を開催することができる。また、例えば、サーバ内に組み込まれるプログラムを実際のマラソンコースの運動量（傾斜、勾配など）に即して組み込むことで、東京国際マラソンコースをバーチャル体験することも可能になる。同じく互いに競争（レース）するなど用途は広がる。
更に、運動者の心拍数、血圧データなどの生体情報を同時に電送し、危険値に近づくとドクターストップがかかるプログラムを組み込むことで、安全に運動することが可能になる。
【図面の簡単な説明】
【００１１】
【図１】本発明の構成図である。
【符号の説明】
【００１２】１  インターネットへ接続する健康端末器具
２  サーバからの結果を表示する画面
３  １と接続するルータ
４  ３と接続するモデム
５  インターネット網
６  １と接続するインターネット上のサーバ
７  サーバに組み込むプログラム
８  他の同種の健康端末器具
９  他のエリアにある１〜４の端末セット
【図１】
2006218246.tif 000003
(57)【要約】【課題】  本体とは別のとめ具所謂キャッチを必要としないで耳朶等に装着することのできるピアスを提供する。【解決手段】  宝石その他装飾品に、指先でつまめば容易に直線状またはゆるやかな角度に変形し且つ指を離せば元の形状に戻るような剛性を有する線状または棒状の挿入軸線材を設け、耳朶等の孔に挿入通過後に指を離して耳朶等に簡単に装着させる。【選択図】  図１
2006218245.tif 000002
【特許請求の範囲】
装飾部品に、剛性を有する線状または棒状の挿入軸を取り付け、耳朶等の孔に挿入操作時は直線状または耳朶等の孔を通り抜ける程度のゆるやかな角度をなし、挿入後は線状部材が開いた角度となる状態に戻って抜け落ちにくくなる挿入部を有することを特徴とするピアス。
【発明の詳細な説明】
【技術分野】
【０００１】  本発明は、ピアス本体とは別の止め具が無くても耳朶等に装着することのできるピアスに関するものである。
【技術背景】
【０００２】  従来、耳朶その他身体の一部に装着して身体を飾るためのピアスには、その抜け落ちを防ぐために挿入軸部をピアスキャッチと呼ばれる止め具で止める方法が一般的である。またその他にピアス軸部にバネを内蔵させ耳朶挿入後軸部の直角形態を維持する方法。所謂安全ピンの仕組みを用いて外れることを防止する方法。耳朶挿入後線状部材が二重カンの仕組みにより外れの防止をする方法。ピアス軸部先端から鎖状部材を耳朶後部に垂らしてぬけ落ちを防止する方法。ピアス軸部先端に形状記憶合金を用いたコイル状部材を設け耳朶後部に密着させる方法。ピアス軸部を機械的に複数箇所を鋭角に折り曲げる方法。などがあった。
【特許文献１】特許第３２７００１１号
【特許文献２】特許第３２５４４３８号
【特許文献３】特許第３１４７１７３号
【特許文献４】特許第３０４１６９５号
【特許文献５】特許第３３２１５６３号
【特許文献６】実開平７−１８０５
【特許文献７】特開２００２−３３６０１５
【発明の開示】
【発明が解決しようとする課題】
【０００３】  これらには次のような問題点があった。
（イ）ピアスキャッチを用いるときは、指先でつまむのにはその物体が小さく且つ耳朶の後ろなどの見えないところで操作しなければならないので指先の器用性が必要でありまた挿入軸部の先端で指を突くような危惧があった。
キャッチという部品を付加して使用するため、装着使用中にキャッチが自然に外れピアス本体が脱落して紛失することもあった。
（ロ）挿入軸先端部においてバネの仕組みを軸内部に設けるには微細且つ精巧な機械加工を要し、安価に普及させるには問題があった。
（ハ）耳朶の後背部で引き掛け止めるための安全ピンの仕組みや、二重カンの方法においては、装着時に相当の器用性や指先の力が要求される。
（ニ）挿入軸先端部に長い鎖状部材を設けたものは、ピアスとして装飾上の点から着用の場面が限定される。また長い髪が引きかかりやすいなどの弊害もある。
（ホ）挿入軸部の複数箇所に鋭角の折り曲げ部を設けたものは、耳朶の穴を通過させる場合に何回かこじ回す必要があり不便である。
【課題を解決するための手段】
【０００４】  装飾部品に、剛性を有する線状または棒状の挿入軸を取り付け、耳朶等の孔に挿入操作時は直線状または耳朶等の孔を通り抜ける程度のゆるやかな角度をなし、挿入後は線状部材が開いた角度となる状態に戻って抜け落ちにくくなる挿入部を有することを特徴とするピアス。
【発明の効果】
【０００５】  挿入軸部の線材を指先でつまみ持って該軸部を直線状または耳朶等の孔をなめらかに通過できる程度にゆるやかな角度となして孔に挿入し、挿入後指先を離せば耳朶等の後背部で線材は開いた状態となり容易には脱落しにくくなる。
さらに外観上も挿入部が目立たなく美麗感を保ち、且つ挿入軸先端が指を突くような危惧も無く安全である。
構造も比較的単純であるため安価で広く普及することも期待できる。
少し慣れれば片手による耳朶等への装着も容易に出来て便利である。
キャッチ等の別部品を使用しないので外れ落ちによる紛失等の心配が無い。
【発明を実施するための最良の形態】
【０００６】  以下本発明の実施の形態について図１〜図８に基いて説明する
図１は、宝石その他より成るピアス（１）の装飾部品（２）に剛性を有する線状または棒状の挿入軸部線材（３）を取り付けたものである。
図２は、指先（４）にて装飾部品（２）および挿入軸部線材（３）を挿入軸部が直線状または耳朶等の孔を通り抜ける程度の角度になるように撓めつまんだものである。
図３は、このようにして指先にてつまんだピアス（１）が耳朶（５）のピアスを通す孔（６）に挿入され、指先を放した後挿入軸部線材（３）が元の形態に開き戻ってピアスが装着された耳朶の断面図である。
本発明は以上のような構成と作用をなすもので、これを使用するときには、指先にて容易にピアスを耳朶等に装着することが出来、また外すときにも装着時と同様に指先にてつまみ撓める状態にして容易に外すことが出来る。
耳朶等の後背部における形状は単純且つ突起が少ないので毛髪その他の絡みつきも少なく安全である。【０００７】  以下本発明の他の実施の形態について説明する。
図４は、装飾部品（２）に剛性を有する線状または棒状の挿入軸部線材（３）を取り付けた反対端に環状部品（７）を設けたものである。
これを図２と同様に指先でつまみ使用することにより実施の形態と同様の効果を得ることができる。【０００８】  以下本発明の他の実施の形態について説明する。
図５は、装飾部品（２）の複数箇所に剛性を有する線状または棒状の挿入軸部線材（３）を取り付けたものである。
これを図２と同様に指先でつまみ使用することにより実施の形態と同様の効果を得ることができる。【０００９】  以下本発明の他の実施の形態について説明する。
図６は、装飾部品（２）に剛性を有する線状または棒状の挿入軸部線材（３）を取り付けた反対端に棒状の引き止め部材（８）を設けたものである。これを図７のように指先（４）にて線材部を撓ませながらつまみ持ち、耳朶等の孔に挿入後、ゆびを離せば図８のようになり実施の形態と同様の効果を得ることができる。
【図面の簡単な説明】
【００１０】
【図１】本発明の斜視図
【図２】本発明の実施の形態の斜視図
【図３】本発明の実施の形態の使用時の耳朶断面図
【図４】本発明の他の実施の形態の斜視図
【図５】本発明の他の実施の形態の斜視図
【図６】本発明の他の実施の形態の斜視図
【図７】本発明の他の実施の形態の斜視図
【図８】本発明の他の実施の形態の使用時の耳朶断面図
【符号の説明】
【００１１】１  ピアス
２  装飾部品
３  挿入軸部線材
４  指先
５  耳朶
６  ピアスを通す孔
７  環状部品
８  棒状の引き止め部材
【図１】
2006218245.tif 000003
【図２】
2006218245.tif 000004
【図３】
2006218245.tif 000005
【図４】
2006218245.tif 000006
【図５】
2006218245.tif 000007
【図６】
2006218245.tif 000008
【図７】
2006218245.tif 000009
【図８】
2006218245.tif 000010
(57)【要約】【課題】従来は単体で、履物全般の履き間違え防止を目的とする目印になる物が無かった。したがって他人の履物と履き間違うことが多かった。特に旅館等の浴場での履物の履き間違えが、衛生上においても問題であった。それを履き間違え防止目印をつけることにより、履き間違えを防止する目印を提供する。。【解決手段】円形の一部が切れたリング状の目印で、表面に名前が書けたり、カードホルダー等を取り付けることが出来、左右の履物を挟みこむ物で、履き間違えを防止することを特徴とする。【選択図】図１
2006218252.tif 000002
【特許請求の範囲】
【請求項１】
脱いだ履物の中から目印により、自分の履物を見つけ出すことを、目的とした物。
【発明の詳細な説明】
【技術分野】
【０００１】本発明は、円形の一部が切れたリング状の物で、表面に名前が書けたり、カードホルダー等を取り付けることが出来、左右の履物を挟みこむ物で、履き間違え防止になる目印である。
【背景技術】
【０００２】従来は単体で、履物全般の履き間違え防止を目的とする目印になる物が無かった。
草履用目印としては、鼻緒を紐等でくくる物はあった。
【発明の開示】
【発明が解決しようとする課題】
【０００３】しかし、履物全般においては、履き間違え防止になる目印はなかった。
特に、旅館等においては、スリッパや下駄等を浴場等で他の客の物と区別がつかず、他人のスリッパや下駄等を履き間違えることがあった。スキー場やボーリング場の貸し靴においても、左右のサイズ間違えもあった。又、大勢の集まりの場所で、同じような履物での履き間違えもあった。
本発明は、このような欠点をなくすためになされたものである。
【課題を解決する為の手段Ｉ】
【０００４】本発明は、円形の一部が切れたリング状の物で、表面に名前を書いたり、カードホルダー等を取り付けることが出来、左右の履物を挟みこむ物で、履き間違え防止になる目印である。
【発明の効果】
【０００５】本発明は単体で履物全般に使用可能であり、名前等を記入することにより、他の履物と容易に区別することができる。
他人の使用した履物を誤用することが無いので、衛生的である。
旅館等では、この目印を使用することにより、お客様の氏名や、旅館名等も表示することができ、サービスの向上にもつながる。
貸し靴等においても、サイズ間違えを防止できる。
【発明を実施するための最良の形態】
【０００６】以下、本案の実施の形態について説明する。
材質は、薄鋼板のバネ材を芯材として、表面をビニールや布等で覆った物である。
この場合は、円形の一部が切れた（２）リング状のままで、左右の履物（５）（６）（７）（８）を挟み込む（９）。又、板状にした場合（４）は、靴ベラとしても使用できる。ただ単に目印として使用する場合（９）には、弾力性を有するプラスチック等や、挟み込める物であれば何でも可能である。
目印本体（１）は、円形の一部が切れた（２）リング状の物である。名前等の表示は直接目印本体（１）に書いたり（３）、名前等を書いた用紙をカードホルダー（１０）に挿入し、識別する。
【図面の簡単な説明】
【０００７】
【図１】本発明の斜視図である。
【符号の説明】
１  目印本体              ２  円形の切れた部分          ３  表示された名前等
４  板状にのばした状態    ５  スリッパ                  ６  靴    ７  下駄
８  草履                  ９  目印として使用している状態    １０  カードホルダー
【図１】
2006218252.tif 000003
(57)【要約】【課題】  吸盤を用いた自在把手を提供する。【解決手段】  ナット付把手支持金具に把手を保持し基板の表面にボルトで取り付ける。吸盤は吸盤の内側中心よりボルト小を挿入し  基板の裏面にナットで取り付ける。以上の構成を特徴とする吸盤を用いた自在把手。【選択図】  図１
2006218258.tif 000002
【特許請求の範囲】
【請求項１】
ナット付把手支持金具（１）に  把手（２）を保持し基板（３）の表面に  ボルト（４）で取り付ける。吸盤（５）は吸盤の内側中心よりボルト小（６）を挿入しナット（７）にて基板の裏面に取り付ける。以上の構成を特徴とする吸盤を用いた自在把手。
【発明の詳細な説明】
【技術分野】
【０００１】本発明は、足腰の弱い高齢者や障害者の、トイレ時の転倒防止のための立居を手助けする自在把手を、提供する福祉器具に関するものである。
【背景技術】
【０００２】従来高齢者や障害者の転倒防止策として、手摺が取り付けてあった。
【発明の開示】
【発明が解決しようとする課題】
【０００３】従来の手摺には次のような問題点があった。
（イ）一般の手摺は  特定の高齢者や障害者を対象として取り付けられたものは少なく既に取り付け場所の位置や高さ掴む角度等が固定されており、使う人の特定の体位に合せて取り付けられているものは少なかった。本発明はこれらの問題点を解決する為になされたものである。
【課題を解決するための手段】
【０００４】  ナット付把手支持金具に把手を保持し  基板の表面にボルトで取り付ける。
吸盤は吸盤の内側中心より  ボルト小を挿入し基板の裏面にナットで取り付ける。
以上を特徴とする吸盤を用いた自在把手である。
【発明の効果】
【０００５】足腰の弱い高齢者や障害者の特定の人が  トイレの使用時に吸盤を用いた自在把手を自分の体位に合わせて、高さや握る角度を決めて自分の思う場所に取り付け出来る為、持ち易く転倒防止ができ  立居が容易になった。又取り付け取り外しは自在である。又、自在把手は自分専用として携帯ができ、他の場所での使用も可能なため、福祉器具として大変便益性に富んでいる。
【発明を実施するための最良に形態】
【０００６】以下本発明の実施形態について説明する。
（イ）ナット付把手支持金具（１）に把手（２）を保持し基板（３）の表面にボルト〔４〕で取り付ける。
（ロ）吸盤（５）は吸盤の内側中心より  ボルト小（６）を挿入し  ナット（７）で基板の裏側に取りつける。
本発明は以上のような構成で出来ており、これを使用するに際しては、吸盤が取り付けられるタイル等の吸着できる壁面が必要である。又把手は握り易い旅行用トランクの把手を利用するとよい。
【図面の簡単な説明】
【０００７】
【図１】本発明の正面図
【図２】本発明の側面図
【符号の説明】
【０００８】１  ナット付把手支持金具
２  把手
３  基板
４  ボルト
５  吸盤
６  ボルト小
７  ナット
【図１】
2006218258.tif 000003
【図２】
2006218258.tif 000004
(57)【要約】      （修正有）【課題】香りを発生させる品で、不必要な時には無駄に発散させず、成分を有効に放出できる物を提供する。【解決手段】柔軟性と封密性のある袋（１）などに吸排気口（２）と栓（６）などを設ける。内部に隙間を作る役割をする、薬液吸収材（３）や、香り材（５）を配し、又大きな容積にはスポンジなどの、反発材（４）を配する。または脱臭剤を在中させ、吸入により脱臭の効果を生むものとなる。人の接触圧力で袋（１）内部の成分の噴出や、吸入により臭いなどを吸収する物となる。狭い範囲の空気を、噴出や吸収し効果を生む柔軟吸排気袋となる。【選択図】図１
2006218257.tif 000002
【特許請求の範囲】
【請求項１】
合成樹脂などからなる柔軟性と封密性のある、袋（１）や箱状体を用い、単数又は複数の開放口を設けるか、又は適位置に吸排気口（２）と栓（６）、又は蓋を設け、この袋（１）内部に小さな隙間をつくる役割をなす、薬液吸収材（３）、又は香り材（５）を配し、又は大容積のものにはスポンジなどの反発材（４）を配し、弾力で容積空間を復元するものとし、マイナスイオンやゲルマニウムなど効果を生む鉱石、素材、又は機器を在中させ、これを人が接触する品物の内部、又は外部の圧力のかかる位置に配し、加重や圧迫や任意に加圧した時のみ成分が噴出するものとなり、又吸入のみを利用し、内部に吸水ポリマーや脱臭剤を入れることにより、狭い範囲の空気を吸い、吸収による効果を生むものとなる、柔軟吸排気袋。
【発明の詳細な説明】
【発明の詳細な説明】
【産業上の利用分野】
【０００１】本発明は、身体が接触する品物の内部又は外部に、柔軟性と封密性のある吸排気袋を配し、袋内部に設けた香料や薬液成分などが人による圧迫時、又は任意の接触圧で噴出させて、効果を生む製品となる柔軟吸排気袋である。
又内部に吸水ポリマーや脱臭剤を在中させた時、水分や臭いを除去する袋となる。
製品としては、寝具、マット、枕、イス、帽子、マスク、靴、衣類、スポーツ用品、など人が接触圧を加える製品であれば利用可能となる。
【背景技術】
【０００２】従来、香りなどを発生させる品物は、不必要な時も無駄に発散してしまい、成分を有効に放出できる物は殆どなかった。
同様に吸湿や脱臭も、狭い範囲の空気を吸入して吸収する物もなかった。
【発明が解決しようとする課題】
【０００３】従来、香りや薬気体を放出する製品は種々あるが、人が必要としない時にも無駄に放出してしまう欠点を持つ物が多かったし、同様に水分や臭いの除去もしかりである。
本発明は、人が使用する製品の内外部に袋や箱状体を配し、体圧をかけたり、接触圧力が加わたり、又任意に加圧した時にのみ、香りや薬成分が墳出し、又袋内の成分を変え吸入により吸湿、脱臭が出来る事を課題とした。
【課題を解決する為の手段】
【０００４】人が触れる物で、香りや薬成分の発散が適した製品、例えば、枕、帽子、マスク、靴、その他衣類などの内部、又は外部に、袋や箱状体が接触圧迫を受ける位置に配する。袋（１）又は箱状体はポリプロピレンフィルムや、その他の化学製フィルムなどで、柔軟性と密封性のある、素材を用いる為、一部分に開放口を設けても成分は発散しにくい。この、袋（１）から成分を排出する開放口は単数又は複数とするか、又開放口に吸排気口（２）と栓（６）、又は蓋を設け発散を調節出来る物も可能となる。
袋（１）内部にガーゼ、化繊、不織布、紙などを、薬液吸収材（３）として配し、小さな隙間を作る役割りをさせ、又容積の大きい箱状体や袋を使用する時は、より復元力を増すためにスポンジなどの反発材（４）を在中させる。
香りの源は各種香料や抽出オイル、薬剤の粉末や固形、又は液体でも可能である。
又、マイナスイオン、オゾン、ゲルマニウムなどの効果を生む鉱石や素材、又は機器を在中させても可能である。
吸水ポリマーや、脱臭剤を入れると与えられた空間のみ吸湿、脱臭するものとなる。
袋（１）や箱状体の内部に香り材（５）や、薬液吸収材（３）を入れる方法としては、一面をかん合蓋とするか、内部に在中させ、熱シール接着や開放口や吸排気口（２）から挿入する事で解決出来る。
【発明の効果】
【０００５】封密性の有る柔らかい袋、又は箱状体の中に、香りなど効果を持つ成分素材や機器を入れ、吸排気口から必要な時、必要な空間へのみ有効な成分を墳出し、又吸湿材や脱臭剤や炭を入れ、吸入により必要な空間の空気成分を吸収する。
人が使う品物で、身体によって圧力がかかる物や、手足で圧力が加わる物などの、圧迫を受ける位置の内部、又は外部に配した、袋や箱状体の吸排気で効果を生む物となる。
【実施例】
【０００６】実施例を第１図で説明すると、ポリプロピレンやその他の化学製品フィルムなどからなる、柔軟性と密封性のある袋（１）、又は箱状体を用い、適位置に吸排気口（２）と栓（６）か蓋を設けるか、又は製品に合わせた大きさの、開放口のみを設けても可能である。
袋（１）の内部に密着を防ぎ、隙間を作る役割をさせる、薬液吸収材（３）や香り材（５）、又は不織布などを配し、圧迫のない時は復元し空気を吸入し、圧迫すると成分を墳出する。容積の大きな箱状体には、より反発力のあるスポンジなどの、反発材（４）などを配す。
吸排気口（２）や開放口は使用する製品に合わせ大きさを変えるもので、常に開放状態でも、封密性の有る袋や箱内に在中する為、成分は無駄に消滅しにくい。
【発明の効果】
【０００７】密封容積体にて吸排気させることにより、内部に配した有効成分を必要な時に必要なところのみ噴出又は吸入出来る効果を生む。
【図面の簡単な説明】
【図１】本発明の傾斜図
【符号の説明】
（１）・・・袋  （２）・・・吸排気口  （３）・・・薬液吸収材  （４）・・・反発材  （５）・・・香り材  （６）・・・栓
【図１】
2006218257.tif 000003
(57)【要約】【課題】ハンガーに懸けただけの衣服に、中心と左右に伸びるロッドの先端に取り付けた、重りの付いたクリップを衣服の裾と袖口に挟むことにより、衣服を伸ばすことができ、衣服の脇と袖との密着をなくし、早く乾かすことと皺を取ることを可能にした補助ハンガーを提供する。【解決手段】ハンガーに懸けた衣服に、中心と左右に伸びるロッド（３）の先端に取り付けた、重り（２）の付いたクリップ（１）を衣服の裾と袖口に挟むことにより、衣服を伸ばすことができ、衣服の脇と袖との密着をなくし、早く乾かすことと皺を取ることを可能にした。【選択図】図３
2006218260.tif 000002
【特許請求の範囲】
【請求項１】
ハンガーに懸けた衣服に、中心と左右に伸びるロッドの先端に取り付けた、重りの付いたクリップを衣服の裾と袖口に挟み、衣服を伸ばすことにより、衣服の脇と袖とを離すことができ、衣服が早く乾き、かつ皺を取ることを可能にした、補助ハンガー。
【発明の詳細な説明】
【技術分野】
【０００１】  本発明は、折りたたみロッド式速乾皺取り補助ハンガーに関する。
【背景技術】
【０００２】  従来のハンガーは衣服の一部を伸ばすものがある。
【発明の開示】
【発明が解決しようとする課題】
【０００３】  しかしながら、従来のハンガーでは衣服の一部を伸ばすに留まり、衣服全体を伸ばして、密着させることなく、早く乾かし皺を取る点で限界がある。
【課題を解決するための手段】
【０００４】  本発明は、ハンガーに懸けた衣服に、中心と左右に伸びるロッドの先端に取り付けた、重りの付いたクリップを衣服の裾と袖口に挟み、衣服を伸ばすことにより、衣服の脇と袖とを離すことにより、衣服を早く乾かすことができ、かつ皺をとることができるようにすることで上記課題を解決する。
【発明の効果】
【０００５】  本発明は、ハンガーに懸けただけの衣服に、中心と左右に伸びるロッドの先端に取り付けた、重りの付いたクリップを衣服の裾と袖口に挟むことにより、衣服を伸ばすことができ、衣服の脇と袖との密着をなくし、早く乾かすことと皺を取ることを可能にした。
【発明を実施するための最良の形態・実施例】
【０００６】  本発明の補助ハンガーは図１に示されるように、重り（２）の付いたクリップ（１）の左右に回転軸（４）を設け、回転軸（４）からロッド（３）が伸びるようにし、ロッド（３）の先端に回転軸（４）を設け、そこから伸ばした棒の先端に、回転軸（４）で自由に転回できる重り（２）の付いたクリップ（１）を設け、図３・図４に示されるように、ハンガーに懸けた衣服の裾と袖口に挟むことができるようにした。
【図面の簡単な説明】
【図１】本発明に係わる折りたたみロッド式速乾皺取り補助ハンガーの概観図である。
【図２】本発明品を折りたたんだ時の概観図である。
【図３】本発明品を半袖の衣類に装着した時の概観図である。
【図４】本発明品を長袖の衣類に装着した時の概観図である。
【符号の説明】
１  クリップ
２  重り
３  ロッド
４  回転軸
【図１】
2006218260.tif 000003
【図２】
2006218260.tif 000004
【図３】
2006218260.tif 000005
【図４】
2006218260.tif 000006
(57)【要約】      （修正有）【課題】  輸送、保管スペースを取らない表示角度が調整できるフォトスタンドを提供する。【解決手段】クリップ１の上部周辺にフレーム、中央部にフィンガーを設けフレームの下部にハーフエッチ部のある差込部を設けスタンドは１枚の樹脂シートに折り曲げ溝を設け、そこで折り曲げ、下部をベース部とし、上部の立った部分をクリップ支持部とし上スリットと下スリットを設けクリップの差込部をスタンド２のクリップ支持部の前面から上スリットに挿入し、裏面から下スリットに通し上スリットと下スリットの間の部分が、クリップのハーフエッチ部にはまり込むように組み立てたことを特徴とするフォトスタンド。【選択図】  図２
2006218251.tif 000002
【特許請求の範囲】
【請求項１】
クリップの上部周辺にフレーム、中央部にフィンガーを設けフレームの下部にハーフエッチ部のある差込部を設け
スタンドは１枚の樹脂シートに折り曲げ溝を設け、そこで折り曲げ、下部をベース部とし、上部の立った部分をクリップ支持部とし上スリットと下スリットを設け
クリップの差込部をスタンドのクリップ支持部の前面から上スリットに挿入し、裏面から下スリットに通し上スリットと下スリットの間の部分が、クリップのハーフエッチ部にはまり込むように組み立てたことを特徴とするフォトスタンド。
【発明の詳細な説明】
【技術分野】
【０００１】  本発明は樹脂シートを折り曲げた台にシート状金属をエッチングして作成したクリップをたてたフォトスタンドに関するものである。
【背景技術】
【０００２】  従来、厚みのある材料で作成した様々な形状のフォトスタンドがあった。
【発明の開示】
【発明が解決しようとする課題】
【０００３】  そのために次のような問題点があった。
（イ）厚みのある部材でできたものはかさばるので、保管する場合のスペースが広く要る、または輸送する場合のコストがかかるなどの問題があった。
（ロ）スタンド部をクリップ部と一体に金属シート等で作ると数度折り曲げすると折れてしまう問題があった。
本発明はこれらの問題を無くすためになされたものである。
【問題を解決するための手段】
【０００４】クリップ（１）の上部周辺にフレーム（１１）、中央部にフィンガー（１２）を設け、フレーム（１１）の下部にハーフエッチ部（１３）のある差込部（１４）を設ける。スタンド（２）は材料として折り曲げ強度が強いポリエチレンテレフタレート（ＰＥＴ）樹脂シート（３）を使い、折り曲げ溝（２５）を設け、そこで折り曲げ、下部をベース部（２１）とし、上部の立った部分をクリップ支持部（２２）とし上スリット（２３）と下スリット（２４）を設ける。クリップ（１）の差込部（１４）をスタンド（２）のクリップ支持部（２２）の前面から上スリット（２３）に挿入し、裏面から下スリット（２４）に通し上スリット（２３）と下スリット（２４）の間の部分が、クリップ（１）のハーフエッチ部（１３）にはまり込むように組み立てたことを特徴とするフォトスタンド。
【発明の効果】
【０００５】  すべての部品が薄いシート状の材料で作られるので組み立てる前までは、これを保管するスペースが少なくて済み、また輸送する場合のコストも抑えることが出来る。
また折り曲げ回数の耐久力が優れた材料を使うことにより組み立てる場合の角度調整を幾度か繰り返しても離れることがない。
使用する際には立てた写真などを抜く際に写真が抜けずクリップ支持部（２２）に挟まっているクリップ（１）が抜けてしまう使い勝手の悪さがあったが、が差し込み部（１４）にハーフエッチ部（１３）を設けてあるのでクリップ（１）が抜けるようなことを無くすことが出来た。
【発明を実施するための最良の形態】
【０００６】以下本発明の実施の形態について説明する。
（イ）クリップ（１）の上部周辺にフレーム（１１）、中央部にフィンガー（１２）を、下部にハーフエッチ部（１３）のある差込部（１４）を設ける。
（ロ）スタンド（２）は材料として折り曲げ強度の強いポリエチレンテレフタレート（ＰＥＴ）の樹脂シート（３）を使い折り曲げ溝（２５）及び一対のスリット  上スリット（２３）、下スリット（２４）を設ける。シートを折り曲げ溝（２５）で曲げスリットの無い側をベース部（２１）とし、スリットのある側をクリップ支持部（２２）とする。
（ハ）クリップ（１）の差込部（１４）をスタンド（２）のクリップ支持部（２２）の前面から上スリット（２３）に挿入し、裏面から下スリット（２４）に通し上スリット（２３）と下スリット（２４）の間の部分が、クリップ（１）のハーフエッチ部（１３）にはまり込むように組み立てる。
本発明は以上のような構成となっている。これを使用する時は立てかけたい写真やその他のカード類を図５に示すようにクリップ（１）のフレーム（１１）とフィンガー（１２）の間に差し込む。立てかけた写真などが見やすい角度になるようにスタンド（２）のベース部とクリップ支持部（２２）の角度を調整する。
また、図６に示すようにはがき大のカードより大き目のシートをたてる場合には、本発明のフォトスタンドを複数個使って安定にシートをたてることが出来る。
本発明の説明において、クリップ（１）のデザインとしては１例を示すものであってその他いろいろなデザインのものが使われることは当然である。
また本発明のスタンド（２）としては無地として図示したが、本発明品をＰＲ用品として利用する場合には会社名、商品名などのロゴを印刷したものを使うことも可能である。
【図面の簡単な説明】
【０００７】
【図１】本発明の斜視図
【図２】本発明の組立手順を示す斜視図
【図３】本発明の構成部品のひとつであるクリップを示す図
【図４】（ａ）  本発明の構成部品のひとつであるスタンドの展開図  （ｂ）  本発明の構成部品のひとつであるスタンドの加工図
【図５】本発明の一使用例を示す斜視図
【図６】本発明の他の使用例を示す斜視図
【符号の説明】
【０００８】  １    クリップ
１１  フレーム
１２  フィンガー
１３  ハーフエッチ部
１４  差込部
２    スタンド
２１  ベース部
２２  クリップ支持部
２３  上スリット
２４  下スリット
２５  折り曲げ溝
３    樹脂シート
４    シート
【図１】
2006218251.tif 000003
【図２】
2006218251.tif 000004
【図３】
2006218251.tif 000005
【図４】
2006218251.tif 000006
【図５】
2006218251.tif 000007
【図６】
2006218251.tif 000008
(57)【要約】      （修正有）【課題】男性の小便時の尿漏れ及び、一般的な尿漏れ防止のためのサックを提供する。【解決手段】  この状況を防ぐため、サック2にゴム線3をつけ、その先に粘着テープ4を装着し、又はサックに直接粘着テープ1を装着することにより、下着に粘着テープで固定し、小便を出した後、男性器をサックに入れる。【選択図】  図１
2006218253.tif 000002
【特許請求の範囲】
【請求項１】
サックにゴム縄を付け、その先に粘着テープを装着する。
【請求項２】
サックに直接粘着テープを装着する。
【発明の詳細な説明】
【発明の詳細な説明】
【技術分野】
【０００１】  この発明は、男性の小便後の尿漏れ防止するのに関するものである。
【背景技術】
【０００２】  尿漏れパンツ自体は存在する。
【発明が解決しようとする課題】
【０００３】  従来ある尿漏れパンツは一日中はく事を目的とするが、不衛生な面があり、その点、本発明は着脱が簡単に行え、しかも従来品よりも安価であるがゆえ、交換しやすく、よって衛生面で優れている。
【図面の簡単な説明】
【図１】  本発明の斜視図
【符号の説明】
（１）粘着テープ
（２）サック本体
（３）ゴム線
（４）粘着テープ
【図１】
2006218253.tif 000003
(57)【要約】【課題】家庭で安全に包丁が使用できる調理用保護具を提供する。【解決手段】本体シート（１）の上部にハンドル（２）を設け、前面に安全カバー（３）を装着したことを特徴とする。【選択図】図１
2006218268.tif 000002
【特許請求の範囲】
【請求項１】
家庭で包丁を使用する場合手を安全に保護するため、本体は下部に材料を押さえるための突起を配列した軟質のシートで、上部に材料を押さえるためのハンドル、前面に手を保護するための丸みをおびた硬質の安全カバーを設けた調理用保護具。
【発明の詳細な説明】
【技術分野】
【０００１】  本発明は、一般家庭での包丁使用作業の安全化を図った調理用保護具に関する。
【背景技術】
【０００２】  調理作業を行う場合に包丁から手を保護する調理用保護具が必要だった。
【発明の開示】
【発明が解決しようとする課題】
【０００３】  従来一般家庭の調理で包丁を使用する場合、保護具を使用するという習慣がない欠点があった。本発明は、その欠点を除くために考案した。
【課題を解決するための手段】
【０００４】  本体は下部に突起を配列した軟質のシートで、その上部にハンドルを設け、前面に丸みをおびた硬質の安全カバーとの組合わせにより、安全に調理作業ができる事を可能にした。
【発明の効果】
【０００５】  手が保護され安全性や精神性が向上し調理作業を安全に行うことを可能にした。
【発明の実施するための最良の形態】
【０００６】  本体シートと上部ハンドルの間、又はハンドルを手で持ち、前面の丸みのついた安全カバーが包丁の刃を誘導及び撥ね返すことで手が保護される。
【図面の簡単な説明】
【０００７】
【図１】本発明の実施形態を示す調理用保護具の部分断面図である。
【図２】本発明の斜視図である。
【符号の説明】
【０００８】１本体シート
２ハンドル
３安全カバー
【図１】
2006218268.tif 000003
【図２】
2006218268.tif 000004